(57)【特許請求の範囲】
【請求項１】
液体を処理する方法であって、該方法は、
本質的に閉じた本体（１）と、液体を浄化するために本体（１）に接続される濾過手段（２）であって、該濾過手段（２）は、処理した液体のための２次空間が、処理すべき液体のための１次空間に囲まれるサンドウィッチ構造を定義し、処理した液体を処理すべき液体から分離する濾過膜（２ａ）を含む濾過手段（２）と、本体（１）から液体を取入れ、かつ取除くために本体（１）に接続される流動手段（３）と、濾過膜（２ａ）を支持する支持装置（４）と、濾過手段（２）の下流で処理した液体を貯蔵する中間貯蔵空間（６）と、濾過膜（２ａ）を洗浄することによって濾過手段（２）を浄化する浄化手段とを備え、１次空間に直面する濾過膜の１次側（Ｉ）が、本質的に接線方向に濾過膜（２ａ）を通過する、処理すべき液体のバイパス流（ｖ１’）によって洗浄される装置を提供することと、
該装置を用いて、液体を濾過することと、
濾過した液体を、中間貯蔵空間（６）から濾過流に対して反対方向で、濾過手段（２）を介して給送することによる逆流を利用し、濾過手段（２）を浄化することとを含む方法。
【請求項２】
濾過膜（２ａ）が、プラスチックシートを照射およびエッチングすることによって製造される膜であることを特徴とする請求項１に記載の方法。
【請求項３】
液体が加圧液体であることを特徴とする請求項１に記載の方法。
【請求項４】
液体が配水システムからの水であることを特徴とする請求項１に記載の方法。
【請求項５】
流動手段（３）が、少なくとも１個の流入または流出装置（３ａ，３ｂ）を含むことを特徴とする請求項１に記載の方法。
【請求項６】
濾過膜の厚みが７〜２５μｍであり、孔の大きさが０．０５〜１０μｍであることを特徴とする請求項１に記載の方法。
【請求項７】
逆流の一部が、濾過手段（２）の１次側（Ｉ）のバイパス流（ｖ１’）の排出により、中間貯蔵空間（６）から液体を吸引することによって達成されることを特徴とする請求項１〜６のいずれかに記載の方法。
【請求項８】
逆流は、濾過した液体流（ｗ）を中断する間、１次空間の圧力を減少させることによって自動的に実行され、中間貯蔵空間（６）に作用する給送圧（ｐ）の影響によって、フラッシュ流排出接続部（３ｂ２）を介して排出されるとき、中間貯蔵空間（６）の中身がフラッシュ流（ｖ１’’）となることを特徴とする請求項１〜７のいずれかに記載の方法。
【請求項９】
液体を処理する装置であって、該装置は、
本質的に閉じた本体（１）と、
液体を浄化するために本体（１）に接続される濾過手段（２）であって、該濾過手段（２）は、処理した液体のための２次空間が、処理すべき液体のための１次空間に囲まれるサンドウィッチ構造を規定する濾過膜（２ａ）を含む濾過手段（２）と、
本体（１）から液体を取入れ、かつ取除くために本体（１）に接続される流動手段（３）と、
濾過膜（２ａ）を支持する支持装置（４）と、
濾過手段（２）の下流で濾過した液体を貯蔵する中間貯蔵空間（６）と、
濾過手段（２）を浄化する浄化手段とを備え、
浄化手段は、１次空間に面する濾過膜（２ａ）の１次側（Ｉ）が、濾過膜（２ａ）を本質的に接線方向に通過する、処理すべき液体のバイパス流（ｖ１’）によって洗浄されるように、かつ処理した液体を中間貯蔵空間（６）から濾過流に対して反対方向で、濾過手段（２）を介して運ぶ逆流によって、濾過手段（２）を浄化するように設けられることを特徴とする装置。
【請求項１０】
濾過膜（２ａ）がプラスチックシートを照射およびエッチングすることによって製造される膜であることを特徴とする請求項９に記載の装置。
【請求項１１】
濾過膜（２ａ）の厚みが７〜２５μｍであり、孔の大きさが０．０５〜１０μｍであることを特徴とする請求項９に記載の装置。
【請求項１２】
逆流の一部が、濾過手段（２）の１次側（Ｉ）のバイパス流（ｖ１’）の排出により、中間貯蔵空間（６）から液体を吸引することによって達成されることを特徴とする請求項９〜１１のいずれかに記載の装置。
【請求項１３】
濾過手段（２）は、装置の本体（１）に接続する２枚の平行な濾過膜（２ａ）を含み、装置は、２枚の濾過膜（２ａ）に対して本質的に均等に設置される２個の支持面（４ａ）をさらに含み、濾過流の間に濾過膜（２ａ）を通過した液体は、濾過膜（２ａ）と支持面（４ａ）との間の空間を通って、排出流接続部（３ｂ１）を介して本体（１）から給送されるように整えられ、バイパス流（ｖ１’）は、処理すべき液体の給送流から、直列または並列接続で分配される流れによって整えられることを特徴とする請求項９〜１２のいずれかに記載の装置。
【請求項１４】
支持面（４ａ）は、結節または溝である、流動領域を形成する表面パターンを有することを特徴とする請求項１３に記載の装置。
【請求項１５】
流動手段（３）、中間貯蔵空間（６）、および／または、液体流を導く弁装置（７）が、本体（１）に組込まれることを特徴とする請求項９〜１４のいずれかに記載の装置。
【請求項１６】
処理した液体流を中断する間、１次側（Ｉ）の圧力を減少させることによって装置から排出される逆流を自動的に実行するように設けられる弁装置（７）をさらに含み、中間貯蔵空間（６）への給送圧（ｐ）が、中間貯蔵空間（６）の中身を、中間貯蔵空間（６）からフラッシュ流排出接続部（３ｂ２）を介して排出させ、フラッシュ流（ｖ１”）を生成することを特徴とする請求項９〜１５のいずれかに記載の装置。
【発明の詳細な説明】
本発明は、液体処理の方法に関し、特に、配水システムなどから導かれた水などの加圧された液体を、本質的に閉じた本体を設けている装置によってろ過する方法に関し、本体に関連して、少なくとも、液体を浄化するためのろ過手段と、液体を導くための流入および／または流出設備などの流れ手段とが設けている。該濾過手段は薄い濾過膜で作られ、好ましくはＰＴＭ（Particle Track Membrane；粒状トラックメンブレン）やＴｅＭ（Track-etch Membrane；トラックエッチングメンブレン）などのように、可塑性物質をベースとする材料から作られており、その厚さが7〜25μｍ、孔サイズが0.05〜10μｍであって、好ましくは、該本体に関連して該濾過膜を支持する支持装置が設けられている。該濾過手段は浄化手段によって浄化される。
フィンランド公開特許第９４４２８７号は上述のタイプの、メンブレン構造の濾過部を含む浄水装置を開示している。当該解決方法は、いわゆるサイフォン原理によって動作するようになっており、そのため同装置の構造は非常に単純である。該浄水装置は、自動的、かつ継続的なサイフォン現象によって、収集点に流れてくる水の質が該装置の運転時間に拘らず常に均一であるので、実際に使用する場合、非常に安全で簡単である。これは、何よりもまず、薄いPTMまたはTeM濾過膜を備えた浄水装置が、どの段階においても特定の粒子サイズを越える物質を通過させないことに基づくものであり、この場合、該濾過膜が汚れると、濾過器の浸透速度が減少し、さらには、該濾過膜をその都度浄化しない場合には、完全に停止するおそれもある。
上述の装置は、非常に雑多な条件、例えば、湖水を濾過するための地形や、水道水が利用できないと思われる環境下においても非常に有用である。該装置の欠点は、主に、濾過する速度が遅いことであり、他方、例えば、一般家庭での使用において、該装置がサイフォン現象の機能を引き出すために別の容器を使用しなければならないことである。また実際には、該装置の濾過膜のクリーニングもある程度欠点といえる。なぜなら、まず第一に完全に別の操作段階として手作業で行わなければならないからである。濾過膜の手作業によるクリーニングは、他方、非常に「苛酷な」処理による機械的な摩擦の間に、濾過膜孔が自然に大きくなる、あるいは逆に、不純物が詰まるおそれがあるという点でも不利である。このような理由で、特に汚れた環境下で使用している装置の濾過膜の機能は、浸透能力が低下するために、最初のクリーニング処置の後に早くも、非常に衰える場合がある。しかし、実際には、そのタイプの装置に関する重大な欠点は、例えば配水機構から直接導かれている水を濾過するために、そのように非常に単純に同装置を利用することが不可能であって、その代わりに、別の容器をサイフォン原理のために使用しなければならないということであろう。
一方、日本公開特許、特開平５−１７７１８５号から、メンブレンで構成された濾過装置を利用することは既知であって、それは処理されるべき液体を含む水溜に設置される。当該解決方法は、このように大規模用途を示しているが、原則的に、対応するタイプの解決方法は、例えば配管の末端に直接に設置してもよい。当該解決方法において、濾過手段は、ある意味ではいわゆる袋濾過器の動作原理により引き出され、処理されるべき液体が、長いメンブレンパイプの壁を浄水を保持する濾過器の２次側へ通過し、さらにいくらか実用目的のために、２次側に連結している流動経路を通る。当該解決方法は、該濾過手段を浄化するために、反対方向のフラッシュ（ｆｌｕｓｈ）流を利用している点で有利であり、そのような場合において、濾過器の２次側に、濾過した水を保持する補助容器を設置している。この場合、水の流れを中断して、ポンプを使用して、濾過した水を補助容器から逆流として濾過パイプを通して注ぎ込み、それによって、同濾過手段を浄化する。
該設備は、濾過パイプ加工品の多孔性の構造物を、反対方向のフラッシュ流によって洗浄できるという点で有利である。しかしながら、実際には、上述したようなタイプの長い可撓性のパイプ構造物は、特にその外側表面に不純物がたまり、そのような理由で、例えば細菌の増殖が同外側表面に集中するおそれがあるが、これは上述したタイプの逆流によって直接影響されない可能性がある。このような理由で、該フラッシュ流動作原理はある程度しか効果をもたらさない。さらに、そのタイプの解決方法には、該濾過パイプ加工品が、どれも非常に複雑であるという欠点もあり、そのような理由で、同パイプ加工品の内面を全く見ることができず、そのような場合には、例えば、発生した菌類やその他の対応の所望でない細菌形成に気付かないおそれがある。当該解決方法は、他方、別のポンプを浄化フラッシュ流のために使用しなければならないという点も不利であり、それは、非常に複雑な制御および調整の自動化、並びに計測を必要とする。このことは、その部分について、該装置の使用をさらに困難にし、実際には、同装置の能率も決定的に低下させる。
したがって、今日では、購入または機能コストについて十分に有益で、技術的に容易に、たとえば家庭での使用のために利用することができ、かつ、充分効果的に作用し、全ての種類の環境下においても十分確実に、特に細菌を除去する水清浄器は市場に出ていない。
本発明に従う方法の目的は、上記の問題に関して決定的に改良を達成し、先行技術のレベルを実質上高めることである。この目的を達成するために、該方法は、濾過手段に属する濾過膜を本質的に、たとえば、処理されるべき液体および／または処理された液体の圧力、運動などを利用する浄化手段などによって自己出力的に浄化する。
本発明に従う該方法の最も重要な利点として、構造物の単純性と信頼性、および同構造物の使用の単純性と信頼性について言及することができ、これらは、特に目的が、例えば非常に雑多な状況下で飲料水を生産することである場合、確実な浄化の成果を達成するための極めて重要な条件である。該方法の原理は単純であるため、その原理を使って利用される装置を製造することは有利でもあり、加えて、同方法はまた、連続的に機能するため有利である。これは同装置に属する濾過膜を全く単純、迅速、および確実に浄化することができるからである。さらに、該方法のきわめて重要な利点は、手動浄化手段がもはや必要なく、したがって該濾過膜の直接的な機械的摩擦が起こらない点にある。該方法によれば、濾過膜は、まず第一に、その外表面全体がくまなく、未処理の水のバイパス流を利用することによって、効果的にフラッシュ洗浄され、他方、有利な実施例として、例えば濾過された水である処理された液体の逆流により洗浄され、これは穿孔を介して行われる。該方法によれば、生成された液体の質は常に均一で、これは濾過膜が損傷を受けず、充分効果的に清浄であり、どの段階においても、特定の粒子サイズを越える物質部を通さないからである。
該方法に関連した従属請求項は、本発明に従う該方法の好ましい実施例を述べている。
本発明はまた、該方法において利用される装置にも関する。該装置はそれに向けられた独立請求項の前文に詳細に定義されている。該装置の主たる特徴は、該請求項の特徴づけの部分に述べられている。
本発明に従う該装置の最も重要な利点として、構造物の単純性と信頼性、および同構造物の使用の単純性と信頼性について言及することができ、これによって、該装置は、例えば一般家庭での使用から、配水システムから直接導かれた水を浄化するためなど、非常に雑多な状況まで、非常に簡単に利用することができる。本発明に従った装置の最も重要な利点の一つは、該濾過膜を、同装置の一方の側で生じるバイパス流によって完全に確実にフラッシュ洗浄できることである。これに加えて、該濾過膜は同膜を介して行われる逆流によっても効果的にフラッシュ洗浄され、これに関連しては、さらにまた、排出動作原理が、清浄な水の側に設置された中間容器から濾過された水を吸引するために、有利に利用されている。本発明に従う該装置の極めて重要な利点は、第１に濾過膜の衛生設備がいかなる手動の処置も必要とせず、これはたとえば同濾過膜の直接的な摩擦を意味しており、代わりに、同濾過膜に関係した全ての処置が上述した流れによって、該装置を開放することなく行われる。本発明に従う該装置は非常にコンパクトな構造物として形成することが可能で、例えば、該配管の末端に直接、あるいは、台所流しの下などに、非常に単純な動作原理で、非常に多くの方法で利用することができ、目に見えるところに設置しなければならないものは、濾過された水を導いている管と、レバー設備だけであり、レバー設備によって、該装置の流れを調節する弁設備を、いつも所望された作用を達成するために所望のように制御することができる。該装置は、その取得コストも適度であるため、非常に有利に製造できる。
該装置に向けられた従属請求項は、本発明に従う装置の好ましい実施例を開示する。
本発明を添付の図面を参照し詳細に説明するが、図において、
図１は、本発明に従う方法のひとつの有利な動作原理を示し、
図２は、本発明に従う該方法を利用する装置の濾過状態における有利な動作原理を示し、
図３は、フラッシュ状態における図２に示された実施形態の機能を示し、
図４は、本発明に従う有利な装置の有利な構成原理を、透視図と分解組立図として示す。
本発明は、液体処理の方法に関し、特に、配水システムなどから導かれた水などの加圧された液体を、本質的に閉じた本体１を設けている装置によってろ過する方法に関し、本体に関連して、少なくとも、液体を浄化するためのろ過手段２と、液体を導くための流入および／または流出設備３ａ，３ｂなどの流れ手段３とが設けられている。該濾過手段２は薄い濾過膜２ａで作られ、好ましくはＰＴＭ（Particle Track Membrane；粒状トラックメンブレン）やＴｅＭ（Track-etch Membrane；トラックエッチングメンブレン）などのように、可塑性物質をベースとする材料から作られており、その厚さが7〜25μｍ、孔サイズが0.05〜10μｍである。該本体１に関連して、好ましくは、該濾過膜２ａを支持する支持装置４が設けられている。該濾過手段２ａは浄化手段によって浄化され、これによって、同濾過手段に属する該濾過膜２ａは、図１〜３に示されるような動作原理に従って、圧力ｐ、運動ｖ１並びに／あるいは処理されるべき液体、および／または処理された液体などを利用する浄化手段などによって、本質的に自己出力的に有利に浄化される。
特に図３に示されたフラッシュ流の図を参照して、濾過手段２に属する１枚あるいは数枚の濾過膜２ａの１次側Ｉは、同膜を本質的に接線方向に通過する処理されるべき液体によって行われるバイパス流ｖ１’によってフラッシュ流洗浄される。対応する図に関して、さらに、濾過手段２を浄化するために、他方、濾過された水などの処理された液体を、好ましくは濾過手段２の２次側IIに連結された中間蓄積空間６から、濾過流に関して反対方向に向かう貫通流として濾過手段２に導くことにより、いわゆる逆流も利用されている。このような場合において、反対方向への該フラッシュ流ｖ１’’は、いわゆる排出器原理によって達成され、これにより、液体は中間蓄積空間６から、１枚または数枚の濾過膜のような該濾過手段２の１次側で生じるバイパス流ｖ１’によってもたらされた排出器の効果によって吸引されている。
上述の作用によって、まず最初に、濾過膜１の１次側をくまなくフラッシュ流洗浄する乱流ｖ１’が達成され、さらに、他方、濾過膜２ａの孔のフラッシュ流洗浄が、排出器動作原理によって果される逆流ｖ１’’によって、該孔の全表面にわたって効果的に達成される。
たとえば、ＰＴＭ／ＴｅＭ濾過膜２ａは、本装置において有利に使用され、それは、たとえば、可塑性シート基材に照射やエッチングなどを行うことにより製造される。上述のように比較的薄い濾過膜を使用することによって、濾過手段によって引き起される圧力の低下を効果的小さくすることができ、そのような場合には、本発明に従う方法は十分効果的に作用するが、細菌の侵入を防ぐため、あらゆる状況下で完全に確実に作用する。本発明に従う方法を利用する装置の貫通流は、上述の膜のために、セラミック清浄器がたとえば同膜の製造費用によってもさらに欠点となることと比較して、あるいは、最初に述べたタイプの「袋」濾過が効果的に機能するフラッシュ流設備を利用することもできないことと比較して、多様である。本発明に従う装置で利用されている濾過膜の表面は、全体が理想的に均一であり、そのおかげで、該表面での細菌の増殖の発生が効果的に防止される。
上述のタイプの方法に従い機能する装置はこのように、加圧液体の処理を可能にする本質的に閉じた本体１と、液体を浄化する濾過手段２と、流動手段３とを含み、該流動手段３は、処理されるべき液体および／または既に浄化された液体を導くための流入および／または流出設備３ａ、３ｂであって、該既に浄化された液体は、たとえば、配水システムからのすでに濾過された水などである。通常の目的のために、たとえばＰＴＭあるいはＴｅＭで構成された濾過膜の厚さは好適には上述の限度内にあるとよい。有益な実施形態として、支持装置４がさらに、本体にも設けられて濾過膜２ａを支持する。図１〜４に示すように、装置に属する浄化手段５は、該濾過手段２に属している１枚あるいは数枚の該濾過膜２ａを自己動力によって浄化するように構成されており、すなわち該浄化手段５は、たとえば、濾過されるべき水および／または既に濾過された水の圧力ｐ、運動ｖ１などを利用して浄化を行う。
図３に示したフラッシュ流洗浄図を参照すると、浄化手段５は、濾過手段に属する濾過膜２ａの１次側を、該膜を本質的に接線方向に通過する処理されるべき液体のバイパス流ｖ１’よって、フラッシュ流洗浄するように構成されている。同じ図を参照すると、いわゆる排出器動作原理によって動作するように設けた反対方向へのフラッシュ流ｖ１’’も利用され、その場合、該浄化手段５は、濾過された水を中間蓄積空間６から該濾過膜２ａの１次側Ｉで生じるバイパス流ｖ１’によって引き起こされた排出器の作用によって吸引することによって動作する。
本体１に関連して示した全ての図において、好適には少なくとも２枚の平行した濾過膜２ａと、該濾過膜に対して本質的に均一に配置された支持面４ａとが設けられ、これにより、濾過流の間に濾過膜２ａを通過した液体が、本体１から濾過膜２ａと支持面４ａの間の領域を通過して排出流接続部３ｂ１を介して排出されるように構成されている。特に図４を参照して、支持面４ａには、流領域を形成するために結節ｘや溝といったような表面加工を施すことも有益である。濾過膜２ａを通過する処理されるべき液体のバイパス流ｖ１’は、直列通路（図１）または濾過膜２ａの側部に添った並列通路（図２および３）による処理されるべき液体の導入によって有益に分配された流れによって整えられる。
有益な実施形態として本装置は、本質的に同本体１に組込まれた流動手段３、中間蓄積空間６および／または液体の流れを導く弁設備７を配置することによって、本質的に均一な全体を構成する。
さらに、図１に関して、一枚または数枚の濾過膜2aなどの濾過手段２を取り囲んでいる１次領域Ｉに対して、液体流動遅延装置や混合機などのような乱流手段８を、バイパス流ｖ１’のフラッシュ流の衝撃がより効果的になるように設けている。
さらに、有益な実施形態として、弁設備７は、処理された液体流ｖを中断する間に、フラッシュ流ｖ１’’をいわば自動的に反対方向にもたらすように構成されており、該流対流は、本質的に１次側の圧力を低下させることによって、装置から排出される。これにより、中間蓄積空間６内に作用する給送圧ｐの影響により、フラッシュ流排出接続部３ｂ２がある場合には該中間蓄積空間の中身が該フラッシュ流ｖ１’’となる。
特に該弁設備７に関して、図１に示した設備は、配水管の弁７ａが常に開放されている動作原理に基づいており、その実施形態は、このように、たとえば、ミキサの前の台の下に隠して使用するように適用できる。このような場合、濾過された水の配管とともに、弁設備７の制御板および制御レバーのみが、台所の流しに備え付けられるだろう。一方、装置が、たとえば配管の末端で直接に、あるいは該配水弁７ａが時々閉じるように使用される場合、後者の自動的なフラッシュ流が常に動作し、該濾過水の排出弁７ｃが閉じている場合、排出フラッシュ流弁７ｂをその後に十分長時間開放したままにして、それにより、濾過された水の排出弁７ｃが閉じている場合に、最後のフラッシュ流洗浄を行うようにしている。このような運転原理によって、原理上、弁設備７に関して、より多くの弁を使用することが可能であるが、実際には、１つの、たとえば水力式の検査弁が使用され、所望された流れを閉じたり接続したりする。
さらに、特に有用な実施例として、カバー部分１ｅによって閉じてもよい該装置の該本体１と、同カバー部分の両側に向かい合って設置された濾過膜２ａとを、有利には、射出成形など熱処理によって、たとえば図４に示した原理に従えば、該本体１の端部と該濾過膜２ａを共に閉じる周辺部組立品１ｒを設けることによって、一体的全体となるように作られる。さらに、有利な実施例として、該濾過膜２ａは、有利には、該膜の少なくとも一つの外表面、たとえば支持面４ａに面している側に、好ましくは不織材から成る強化層Ｖを積層することによって強化される。
上述の構造物は、特に、より不均一な構造物の場合よりも、孔のサイズがもっと大きい濾過膜２ａの使用を可能とすることが確認されたが、特に０．２〜０．６μｍの間が最も有利であるだろう。この場合において、孔の密度は、好ましくは、それに対応して５×１０8〜５×１０7個／ｃｍ2である。さらに、好ましくは、可塑性物質をベースとした材料、好適にはポリエチレン／ポリプロピレンが該強化層ｖとして使用され、その重さは１５〜５０ｇ／ｍ2である。
本発明が、上記の実施例に限定されていないことは自明であるが、代わりに、それは基本的な概念の範囲内で大きく改良することも可能である。したがって、原則的には、本発明に従う該装置に関係している構造物を、例えば、円筒形の濾過膜を持ち、円形の断面をもつ構造物を使用することによってなど、非常に多くの方法で行うことができる。他方、異なる方法において添付の図面において示されたタイプの解決方法を、例えば、いくつかの濾過膜装置を、たとえば並列に、または直列に、または他方の上に配置されたいくつかの濾過膜ユニットを用いることによって、多様に添付の図面に示されたタイプの解決方法を利用することが可能である。当然、該ＰＴＭ、ＴｅＭ膜に加えて、この目的に適しているものであれば、他の種類の膜も利用することが可能である。例えば上述のタイプの濾過膜を利用する場合、網や格子などで作られている透水性壁もまた該支持面として、当然使用が可能である。この種の構造物は、加工費用の点で、上述の実施例に対応しない場合もあり、これはまず第一に、例えば金属から成る支持フレームが使用している間にさびるおそれがあるためであり、プラスチックなどの充分にすぐれた材料から作る場合には、非常に高コストとなるからである。該弁設備だけでなく該管構造物も、どのように、およびどんな種類で該方法と該装置を利用するかということに依存して、非常に種々の方法で実施することが可能である。したがって、該弁設備は、例えば、いわゆる遠隔操作原理によって作動している浄化装置としたい場合には、機械的に作動する弁によって、あるいは加圧された媒介物によっておよび／またはさらに、電気を利用することによって実施してもよい。
したがって、図に示された実施例は、主に、示唆できる動作原理を表わし、そのような場合、例えば、該中間蓄積空間および／または該弁設備を、該本体に一体的に属する全体の一部として形成してもよいことは自明である。さらに、本発明に従う該装置の多くの部分を、非常に種々の加工技術と加工材料を使用することによって生産してもよく、その場合には当然それぞれの構造物の外観にある程度の影響を及ぼす。
【図１】
0003959548.tif 000002
【図２】
0003959548.tif 000003
【図３】
0003959548.tif 000004
【図４】
0003959548.tif 000005